(57)【要約】【課題】  交通機関の利用者に対して時刻表を表示する表示装置のための表示データの効率的入力を可能とする。【解決手段】  制御装置から表示データを送信することによって、時刻表を表示装置に表示させる。表示データの生成において、ユーザがデータを入力するための入力画面が制御装置に表示される。入力画面において、予め記憶されている画像データに従って「行先（Ｄ）」などの項目名が表示される。入力画面上で、各項目の内容はテキストデータとして入力される。入力データと予め記憶されている画像データからビットマップイメージが生成され、元画像表示フレームに表示される。表示装置の実際の表示態様の画像が、変換画像表示フレームに表示される。【選択図】  図９
2005070348.tif 000002
【特許請求の範囲】
【請求項１】
交通機関の利用者に対して時刻表を表示する表示装置のために、データ入力の処理をコンピュータに実行させるためのプログラムであって、前記処理は、
予め記憶されている画像データを取得するステップと、
時刻表の項目データをテキストデータとして入力するためのデータ入力画像を表示するステップと、
前記データ入力画像において入力されたテキストデータと前記取得した画像データとに基づき、時刻表画像データを生成するステップと、
前記生成された時刻表画像データを、前記表示装置に送信するステップと、
を備えるプログラム。
【請求項２】
前記項目データは行先を示すデータを含み、前記行先を示すデータは表示された複数の行先から選択される、請求項１に記載のプログラム。
【請求項３】
前記項目データは出発時刻のデータを含む、請求項１または２に記載のプログラム。
【請求項４】
前記記憶されている画像データは項目名を含む、請求項１、２または３に記載のプログラム。
【請求項５】
前記データ入力画像において入力されたテキストデータと前記取得した画像データとに基づき、ユーザによる確認のための時刻表画像データを生成するステップと、
前記生成された確認のための時刻表画像データに従って、前記コンピュータの表示部に時刻表画像を表示させるステップと、
を備える請求項１に記載のプログラム。
【請求項６】
前記表示装置から、前記表示装置が表示している画像の表示画像データを取得するステップと、
前記取得した表示画像データに従って、前記コンピュータの表示部に画像を表示させるステップと、
を備える請求項１に記載のプログラム。
【請求項７】
交通機関の利用者に対して時刻表を表示する表示装置と、前記表示装置の制御装置とを含む表示システムであって、前記制御装置は、
画像データを記憶する記憶手段と、
時刻表の項目データをテキストデータとして入力するためのデータ入力画像を表示する表示手段と、
前記データ入力画像に従って入力されたテキストデータと、前記記憶装置に記憶されている画像データとに基づき、時刻表画像データを生成する画像データ生成手段と、
前記生成された時刻表画像データを、前記表示装置に送信する送信手段と、
を備える表示システム。
【請求項８】
交通機関の利用者に対して時刻表を表示する表示装置のための入力データ処理方法であって、
予め記憶されている画像データを取得するステップと、
時刻表の項目データをテキストデータとして入力するためのデータ入力画像を表示するステップと、
前記データ入力画像において入力されたテキストデータと前記取得した画像データとに基づき、時刻表画像データを生成するステップと、
前記生成された時刻表画像データを、前記表示装置に送信するステップと、を備える入力データ処理方法。
【発明の詳細な説明】
【技術分野】
【０００１】
本発明は表示装置のための入力データ処理方法、表示システム、及びプログラムに関し、特に、時刻表を表示する表示装置ための入力データ処理方法、表示システム、及びプログラムに関する。
【背景技術】
【０００２】
情報技術、通信技術の発展に伴い、液晶表示装置や有機ＥＬ表示装置などのフラットディスプレイの普及は目覚しいものがある。さらに、これらに代表される表示装置は、情報・通信機器に限らず様々な製品に適用され、その応用範囲は益々広がっている。例えば、従来の棚札、広告、時刻表などは、紙、樹脂板などの印刷物によって表示が行われており、表示内容が変更されると、印刷物を人手によって交換する作業が行われている。このため、表示内容変更のために、多くの資源、時間、作業及びコストが必要とされる。
【０００３】
そこで、表示内容を変更することができる表示装置を使用して、棚札、広告、時刻表などを表示する技術が提案されている（例えば、特許文献１を参照）。これによって、表示内容を迅速、かつ容易に変更することが可能となる。上記特許文献１において提案されている表示装置は、表示の維持には電力を必要としないメモリ性表示素子と、光エネルギを電気エネルギに変換する光発電器と、光発電器で生成した電力を蓄える蓄電装置と、上記蓄電装置から上記液晶表示素子に電力を供給し、上記表示素子の表示を変更する制御部とを備えている。
【０００４】
メモリ性の表示素子は、コレステリック液晶を使用することによって構成されることが開示されている。コレステリック液晶は、プレーナ状態からフォーカルコニック状態へ、逆に、フォーカルコニック状態からプレーナ状態へと状態変化することができ、いずれの状態も電力の供給無しで維持できる。プレーナ状態において対応する色の波長を選択的に反射し、フォーカルコニック状態において可視光を透過または散乱するように調整される。
【０００５】
液晶表示装置が外部から情報を受信する情報受信器をさらに備えることによって、外部からの指令により表示を更新する。ホストコンピュータ等の通信端末から表示データが液晶表示装置に無線送信される。液晶表示装置は、通信端末から送信された表示データを受信器によって受信し、これに基づいて液晶表示素子に表示する（又は書き替える）。受信回路は受信した表示データをデータ変換回路に出力する。データ変換回路は、表示データをデータ変換し、画像メモリに供給する。画像メモリから供給された表示データをコントロール回路に供給する。
【０００６】
コントロール回路は、変換データをもとに１ライン分の表示データを作成し、その表示データに基づいてデコーダとラインバッファに信号を出力する。デコーダは受信信号に対応して必要なスイッチング回路を駆動し、目的の走査電極に所定の電圧を印加する。他方、ラインバッファは受信信号に対応して必要なデジタルーアナログ変換器を駆動し、駆動バッファを介して、目的の信号電極に所定の電圧を印加する。
【０００７】
このようにして、各画素に対応した部分の３つの色表示層の液晶部分が、プレーナ状態からフォーカルコニック状態、またはフォーカルコニック状態からプレーナ状態に切り替えられ、目的のカラー画像が表示される。尚、終バスあるいは終電車などの最終に運転される車両に送信機を搭載することによって、停留場の運行終了を表示する運行表示灯を消灯あるいは点灯する技術が特許文献２に開示されている。
【０００８】
【特許文献１】特開２００１−１８４０３３号公報
【特許文献２】特公昭５１−４７０４０号公報
【発明の開示】
【発明が解決しようとする課題】
【０００９】
表示装置に所望の画像を表示させるために、必要なデータを入力することが必要とされる。特に、交通機関の利用者に対して時刻表を表示する表示装置のために表示データを入力する場合、ユーザによる入力が、簡便にそして誤りなく行うことができることが重要である。従って、本発明の目的は、交通機関の利用者に対して時刻表を表示する表示装置のための表示データをユーザが効率的に入力することができる、表示システム、入力データ処理方法、及びそのプログラムを提供することである。
【課題を解決するための手段】
【００１０】
本発明の一つの態様は、交通機関の利用者に対して時刻表を表示する表示装置のために、データ入力の処理をコンピュータに実行させるためのプログラムであって、前記処理は、予め記憶されている画像データを取得するステップと、時刻表の項目データをテキストデータとして入力するためのデータ入力画像を表示するステップと、前記データ入力画像において入力されたテキストデータと前記取得した画像データとに基づき、時刻表画像データを生成するステップと、前記生成された時刻表画像データを、前記表示装置に送信するステップと、を備える。これにより、時刻表表示のためのデータを効率的に入力することができる。
【００１１】
前記項目データは行先を示すデータを含み、前記行先を示すデータは表示された複数の行先から選択されることが好ましい。あるいは、前記項目データは出発時刻のデータを含むことが好ましい。あるいは、前記記憶されている画像データは項目名を含むことが好ましい。これにより、時刻表の表示のためのデータをより効率的に、あるいは誤りなく入力することができる。
【００１２】
前記データ入力画像において入力されたテキストデータと前記取得した画像データに基づき、ユーザによる確認のための時刻表画像データを生成するステップと、前記生成された確認のための時刻表画像データに従って、前記コンピュータの表示部に時刻表画像を表示させるステップと、を備えることが好ましい。これにより、ユーザによる画像の確認が可能となり、効率的なデータ入力が可能となる。
【００１３】
前記表示装置から、前記表示装置が現在表示している画像の表示画像データを取得するステップと、前記取得した表示画像データに従って、前記コンピュータの表示部に画像を表示させるステップと、を備えることが好ましい。これにより、表示装置が表示している表示画像を容易に確認することができる。
【００１４】
本発明の他の態様は、交通機関の利用者に対して時刻表を表示する表示装置と、前記表示装置の制御装置とを含む表示システムであって、前記制御装置は、画像データを記憶する記憶手段と、時刻表の項目データをテキストデータとして入力するためのデータ入力画像を表示する表示手段と、前記データ入力画像に従って入力されたテキストデータと、前記記憶装置に記憶されている画像データとに基づき、時刻表画像データを生成する画像データ生成手段と、前記生成された時刻表画像データを、前記表示装置に送信する送信手段と、を備える。
【００１５】
本発明の他の態様は、交通機関の利用者に対して時刻表を表示する表示装置のための入力データ処理方法であって、予め記憶されている画像データを取得するステップと、時刻表の項目データをテキストデータとして入力するためのデータ入力画像を表示するステップと、前記データ入力画像において入力されたテキストデータと前記取得した画像データとに基づき、時刻表画像データを生成するステップと、前記生成された時刻表画像データを、前記表示装置に送信するステップと、を備える。
【発明の効果】
【００１６】
本発明により、交通機関の利用者に対して時刻表を表示する表示装置のための表示データを効率的に入力することができる。本発明において交通機関とは、電車、バス、モノレール、船、航空機、ロープウェアイなど、様々な交通機関が含まれる。一般的には、利用者が交通機関に搭乗し、ある地点から別の地点まで空間的に移動するものを指す。特に、定められた時刻によって定期的に運行される。
【発明を実施するための最良の形態】
【００１７】
以下に、本発明を適用可能な実施の形態が説明される。以下の説明は、本発明の実施形態を説明するものであり、本発明が以下の実施形態に限定されるものではない。説明の明確化のため、以下の記載及び図面は、適宜、省略及び簡略化がなされている。又、当業者であれば、以下の実施形態の各要素を、本発明の範囲において容易に変更、追加、変換することが可能である。
【００１８】
図１は、本実施形態に係る情報表示システム１００の基本構成の一例を示している。情報表示システム１００は、表示装置１１０と表示装置を制御する制御装置１２０を有している。表示装置１１０は一つもしくは複数の表示領域を備える。図１において、表示装置１１０は、一例として、２つの表示領域に鉄道の終始発時刻表を表示している。表示装置１１０は、鉄道の地下鉄の階段入口の壁面などに設置され、路線と行先に対応した始発／終電時刻などの情報を、利用者に提示することができる。表示装置１１０は、電気的に表示内容を容易に変更することができるため、プラスティックボードに印刷された時刻表などと比較して、終始発時刻の変更などに効率的に対応することができる。
【００１９】
制御装置１２０から表示内容に対応する表示データを表示装置１１０に送信することによって、表示装置１１０の表示内容を変更することができる。好ましくは、制御装置１２０及び表示装置１１０は無線通信部を備え、Ｂｌｕｅｔｏｏｔｈ（登録商用）などを使用した無線通信によって、表示装置１１０は制御装置１２０によって制御される。無線通信を使用して表示装置１１０の表示内容を制御することによって、様々な設置場所への対応が可能となり、又、表示装置１１０が設置された状態での表示内容の変更を容易に行うことができる。無線通信により表示装置１１０を制御する場合、任意装置による表示装置１１０へのアクセス及び表示内容の変更を防止するため、認証処理によるアクセス制御などのセキュリティ機構を実装することが好ましい。なお、表示装置１１０と制御装置１２０との間の通信は、ＲＳ２３２Ｃ等の有線通信でもよく、また、赤外線やＢｌｕｅｔｏｏｔｈ（登録商標）以外の帯域の電波を用いることができる。
【００２０】
表示装置１１０は、表示データを記憶するための複数のメモリ領域を備えることが好ましい。各メモリ領域に表示データを記憶することによって、表示画面の維持、変更を効率的に行うことができる。特に、各表示領域に対応する複数のメモリ領域を備えることによって、複数の表示画面を選択的に表示することができる。表示装置１１０の電源の供給手段としては、二次電池を内蔵することが好ましい。または、太陽電池を併用して使用することが好ましい。外部から配線で接続し電力の供給を受けずに動作できることが好ましい。システムの運用上の利点が大きくなる。
【００２１】
表示装置１１０は、好ましくは、メモリ型表示パネルを使用する。メモリ型表示パネルは、駆動電圧が実質的に０Ｖの状態、または、連続的に駆動することなく、表示情報を保持できる性質を有するものを指す。メモリ型表示パネルには、たとえばコレステリックまたはカイラルネマチック液晶表示素子、あるいは反強誘電性液晶表示素子等がある。特に、低消費電力化が可能なカイラルネマチック液晶表示素子を使用することが好ましい。カイラルネマチック液晶表示素子は相転移型の動作を有する。相転移型とは、入射光の一部を選択反射するプレーナ状態および入射光を散乱させるフォーカルコニック状態の少なくとも２状態で安定であり、電極間に所定の電圧を印加することで、液晶をプレーナ状態またはフォーカルコニック状態に転移させることができる。
【００２２】
図２にカイラルネマチック液晶表示素子を用いた２層構成のカイラルネマチック液晶表示パネル２００の断面構造の一例を模式的に示す。カイラルネマチック液晶パネルは相転移型の動作を有し、入射光の一部を選択反射するプレーナ状態、および、入射光を散乱させるフォーカルコニック状態の少なくとも２相で安定である。電極間に所定の電圧を印加することで、液晶をプレーナ状態またはフォーカルコニック状態に転移させることができる。カイラルネマチック液晶表示パネル２００は、複数のセルを積層し、各セルが異なる色を選択反射することによってマルチカラー表示を行うことができる。
【００２３】
図２に示すように、基本的に同様のセル構造を有するカイラルネマチック液晶表示セル２３２、２３３が２枚積層されている。第１基板２３４に形成された行電極２３５と、第２基板２３６に形成された列電極２３７の各電極面が直交するように、第１基板２３４と第２基板２３６が配置される。第１基板２３４と第２基板２３６とは周辺シール材に２３８よって固着され、２つの基板の間にはセル空間が形成されている。セル空間内部にカイラルネマチック液晶層２３９が封入されている。カイラルネマチック液晶表示パネル２００は単純マトリックス方式で駆動することが好ましい。
【００２４】
第２のセルの第１基板の裏面側に、黒色の艶消し塗料による着色層２４０が形成されている。第１のセル２３２と第２のセル２３３との間に接着層２４１が形成されている。この際、二つのセルはそれぞれの画素が空間的に一致するように配置、接着される。対向して配置された行電極２３５と列電極２３７との間に印加される電圧によってカイラルネマチック液晶層２３９が駆動され、その相状態の転移が制御され表示が行われる。カイラルネマチック液晶表示パネル２００は偏光板を使用しないため、効率的な表示を行うことができる。第１のセル２３２と第２のセル２３３それぞれの選択反射の特性を変更して異なる発色を行うように構成し、複数色のカラー表示を行うことができる。典型的には、カイラル剤と液晶材料との比率を調整して選択反射の主波長を調整することができる。なお、着色層２４０の色を黒以外に設定することができ、カイラルネマチック液晶表示素子の選択反射の色と組み合わせて適宜設定することができる。たとえば、オレンジの選択反射と青の着色層とを組み合わせて、「白−青」の２色表示をさせることができる。また、カイラルネマチック液晶表示素子の層数は単層でもよく、３層構成にしてフルカラー表示を行うこともできる。
【００２５】
カイラルネマチック液晶表示パネル２００はメモリ性を示し、第２基板２３６の列電極２３７に電圧を印加することによって所定の表示状態にセットされると、印加電圧を０Ｖに設定した状態において、その表示状態が維持される。再度所定の信号電圧を印加することによって、維持された表示状態を他の表示状態に転移させることができる。典型的には、表示面全体をプレーナ状態にすることで選択反射の色を表示し、フォーカルコニック状態にすることで微散乱状態となり、裏面側の着色層２４０（黒色塗料）の艶消し色を表示する。
【００２６】
制御装置１２０は、ハードウェア構成により、もしくは、ハードウェア及びハードウェア上で実行されるソフトウェアによって構成することができる。本形態において、汎用コンピュータ上でソフトウェアプログラムを実行する例が示されている。図３は、制御装置１２０のハードウェア構成の一例を示している。制御装置１２０は、典型的なコンピュータ・システムが利用可能であり、中央処理装置（ＣＰＵ）３０１とメモリ３０４とを含んでいる。
【００２７】
ＣＰＵ３０１とメモリ３０４とは、バスを介して補助記憶装置としてのハードディスク装置３１３に接続される。フレキシブルディスク装置３２０、ハードディスク装置３１３、ＣＤ−ＲＯＭドライブ３２６等の記憶媒体駆動装置は、フレキシブルディスク・コントローラ３１９、ＩＤＥコントローラ３２５などの各種コントローラを介してバスに接続される。フレキシブルディスク装置３２０等の記憶媒体駆動装置には、フレキシブルディスク等の可搬型記憶媒体が挿入される。
【００２８】
記憶媒体にはオペレーティングシステムと共同してＣＰＵ３０１等に命令を与え、本実施形態の制御装置１２０の機能を実施するためのコンピュータ・プログラムを記憶することができる。コンピュータ・プログラムは、メモリ３０４にロードされることによって実行される。コンピュータ・プログラムは圧縮し、又、複数に分割して記憶媒体に記憶することができる。ハードウェア構成は、典型的には、ユーザ・インターフェース・ハードウェアを備える。
【００２９】
ユーザ・インターフェース・ハードウェアとしては、例えば、入力をするためのポインティング・デバイス（マウス３０７、ジョイスティック等）やキーボード３０６、あるいは、視覚データをユーザに提示するための液晶ディスプレイなどの表示装置３１１がある。制御装置１２０は、無線通信アダプタ３１８を介して表示装置１１０と通信を行うことができる。尚、上記構成は必要に応じて省略することができる。
【００３０】
図４は、情報表示システム１００の論理構成の一例を示すブロック図である。各ブロックは、ハードウェアもしくはハードウェア上で実行されるソフトウェアによって構成される。図４に示すように、制御装置１２０は、ユーザによって入力されたデータのインターフェースとして機能する入力部４０１、制御装置１２０の表示装置３１１に表示画面を表示するための処理を行う表示部４０２を備えている。さらに、４０３は外部記憶装置であって、表示装置１１０に表示する表示画面において、予め設定されている部分の画像データを保存する。４０４は通信部であって、表示データ及びコマンドを表示装置１１０に送信する。
【００３１】
４０５は画像データ生成部であって、外部記憶装置４０３に予め記憶されている画像データ及びユーザによって入力部４０１を介して入力されたデータから、必要な画像データを生成する。制御装置１２０の各機能ブロックは、ソフトウェアプログラムがメモリ３０４上に展開され、ＣＰＵ３０１がソフトウェアプログラムに従って処理を行い、他のハードウェア構成と協働することによって構成することができる。
【００３２】
表示装置１１０は、制御装置１２０と通信を行うための通信部４０６、各表示領域に対応した複数のメモリ領域４０７、画像を表示する表示パネル４０８、及び表示装置１１０の動作を制御する制御部４０９を備えている。制御装置１２０から送信された画像データは、通信部４０６によって受信され、制御部４０９によってメモリ領域４０７に記憶される。表示パネル４０８は、メモリ領域４０７に記憶された画像データに従って画像を表示する。
【００３３】
表示装置１１０に所望の画像データを表示させるため、画像データ生成部４０５は、表示装置１１０の表示領域サイズに合せて、ビットマップ画像データを生成する。ビットマップ画像データは、ハードディスクなどの記憶装置４０３に予め記憶されている画像データ及びユーザによって入力部４０１を介して入力されたデータから生成される。次に、ビットマップ画像データを、カイラルネマチック液晶表示素子で表示できる画像データに変換する。以下、画像データの変換処理について説明する。
【００３４】
異なる色を反射するカイラルネマチック液晶表示セルを、図２に示すように積層することによって、マルチカラー表示を行うことができる。例えば、２枚のカイラルネマチック液晶表示セルを積層し、それぞれのセルが青と黄の補色関係の色を表示する構成とする。又、パネルの背面側基板の裏面側に発色が黒の着色層を備える。具体的な方法として、ＲＧＢの各色（Ｒ、Ｇ、Ｂそれぞれ８ビット）のそれぞれに任意の閾値を設定し、設定した閾値とＲＧＢの濃淡の大小を比較する。これにより、ＲＧＢの各色素を８ビットから１ビット化し、ＲＧＢによる表現色を８色（黒、青、緑、シアン、赤、マゼンダ、黄、白）とする。表示データの変換処理については、例えば、出願人に本出願人を含む特願２００２−１１９０４１に開示されている。
【００３５】
例えば、２４ビット２５６階調のビットマップ元画像における表現色の灰色（Ｒ、Ｇ、Ｂ）＝（１２８，１２８，１２８）の場合、閾値を１２７未満に設定すると灰色を白色に変換し、閾値を１２８以上に設定すると灰色を黒色に変換する。ＲＧＢによる表現色に制限をかけ、４色（黒、青、黄、白）に対応した属性を付加する。これにより、ＲＧＢによる表現色を８色から。カイラルネマチック液晶表示素子で表示できる４色に変換する。
【００３６】
８色からなる画像データのうちの４色（緑、シアン、赤、マゼンダ）を、「緑から黄」「シアンから白」「赤からオレンジ」「マゼンダから青」へ変更して上記のパネル構成でカラー表示を行う。そして、カイラルネマチック液晶表示パネル表示用に変換した画像データは、通信部４０４によって表示装置１１０に送信される。伝送された画像データは、表示装置１１０の通信部４０６を介してメモリ領域４０７の一つに記憶される。例えば、制御装置１２０から、メモリ領域を指定することによって、特定のメモリ領域に画像データを格納し、又、特定のメモリ領域４０７に格納された画像データを、表示装置１１０の表示パネル４０８に表示させることができる。
【００３７】
図５から図９は、表示装置１１０に表示される表示画像の入力／編集をユーザが行うために、制御装置１２０に表示されるユーザインターフェースの一例を示している。また、図１０は表示画像を生成するためのデータ入力処理に関するフローチャートである。本例においては、図１に示された終始発時刻表の画像データを生成するための、データ入力処理が説明される。特に、以下においては、図１に示された下段表示領域に表示される画像データの入力処理を例として説明される。
【００３８】
図１０に処理のフローチャートを示す（Ｓ１０１−Ｓ１０６）。図５は、データ入力のための初期画面の一例を示している。制御装置１２０において所定のアプリケーションプログラムが起動されると、表示部４０１は記憶装置４０３に記憶されているデータを取得して、入力／編集画面を表示する。「開く」アイコンがクリックされることによって、予め記憶装置４０３に記憶されているファイルから選択された画像データが、図６に示すように、「元画像」及び「変換画像」のそれぞれの表示フレーム内に表示される（Ｓ１０１）。変換画像は、元画像の画像データから自動的に生成される。画像データは、予めビットマップイメージとして記憶装置４０３に記憶されていることが好ましい。予め記憶されている元画像のファイルが指定されて、図６に示すような元画像として表示される。あわせて、変換画像用のデータを生成し、変換画像表示フレーム内に表示する。ここで、ビットマップ形式のデータは、画像を色のついたドットの羅列として表現したデータである。ビットマップイメージの形式として、ＰＮＧ、ＪＰＥＧ、ＧＩＦ、ＢＭＰ、ＴＩＦＦなどを使用することができる。
【００３９】
本例において、具体的には、図６に示すように、予め記憶装置４０３に記憶されている画像データに従って、終始発時刻表の項目名が元画像表示フレーム及び変換画像表示フレームのそれぞれに表示される。項目名として、「行先（Ｄ）」や「平日（Ｗ）」、「土・休日（Ｈ）」などが示されている。また、所定のレイアウトが画像データとして予め記憶されている。予め一部の画像データを記憶しておくことによって、表示画像を生成するための入力処理を簡便化することができる。
【００４０】
元画像表示フレームには、記憶装置４０３に記憶されている、および、ユーザ入力に従って画像データ生成部４０５によって生成されるビットマップイメージによる画像が表示される。変換画像表示フレームには、表示装置１１０に実際に表示される画像に対応する画像が表示される。既に説明したように、画像データ生成部４０５は、ビットマップ形式の元画像データを変換し、カイラルネマチック液晶表示パネルに表示するための画像データを生成する。変換画像表示フレームには、この画像データに従って、実際の表示画像に対応する画像が表示される。
【００４１】
カイラルネマチック液晶表示パネルが特定の色からなるマルチカラー表示を行う場合、元画像と実際の表示画像が異なるものとなる。例えば、上記構成のように青と黄の補色関係にある色を選択反射する２枚のカイラルネマチック液晶表示セルを使用する場合、元画像の「土・休日（Ｈ）」が赤で表示されている例において、変換画像の「土・休日（Ｈ）」を赤以外の色、例えば、黄色で表示するように設定される。従って、変換画像表示フレームによってユーザが実際の表示画像を確認することができることは、特に有用である。
【００４２】
次に、図７に示すように、終始発時刻表の各項目に表示される項目テキストデータが、入力部４０１を介して入力される（Ｓ１０２）。具体的には、始発列車の行先、平日始発時刻、休日始発時刻、終発列車の行先、平日終発時刻、休日終発時刻のそれぞれのテキストデータが、複数の入力ボックスのそれぞれにおいて入力される。「行先」は、日本語表記と英語表記とを含んでいる。必要に応じて、一つもしくは複数の始発列車、終発列車のそれぞれについて、各項目の表示を行う。
【００４３】
本形態において、各入力ボックスには、キーボードなどのテキスト入力装置を使用して直接に各文字を入力することができる。好ましくは、日本語表記によって行先を特定する入力ボックスにおいて、プルダウンメニューによって予め登録されている駅名（行先）から選択される。プルダウンメニューに表示される駅名は、表示パネルが設置される駅（例えば図１における北駅）に対応して予め登録することができる。データ入力処理において設置駅が選択されたことに対応して、表示されるプルダウンメニューは変更される。プルダウンメニューはマウスやキーボードなどの入力装置によって操作することができる。また、行先の英語表記ボックスのデータは、日本語表記の行先ボックスが決定されたことに応答して、自動的に決定されることが好ましい。このような構成により、入力処理を簡便化し、誤ったデータが入力されることを効果的に防止することができる。
【００４４】
テキストデータ入力処理が完了すると、入力データのビットマップイメージへの変換処理が、画像データ生成部４０５によって行われる（Ｓ１０３）。ビットマップイメージへの変換処理は、図８に示すように、ビットマップ変換ボタンが選択されたこと応答して開始される。画像データ生成部４０５は、入力テキストデータ及び予め記憶装置４０３に記憶されている画像データに基づいて、ビットマップ形式の画像データを生成する。
【００４５】
さらに、画像データ生成部４０５は、ビットマップイメージから、カイラルネマチック液晶表示パネルに画像表示するための画像データを生成する（Ｓ１０４）。好ましくは、ビットマップ変換ボタンは全ての必要なテキストデータが入力された後に選択可能となるように設定される。これによって、ユーザによる誤入力を防止することができる。この他、データ入力、あるいはコマンド入力のための各欄は、必要な前処理が終了した後に操作可能となるように構成されることが好ましい。
【００４６】
元画像データと変換画像データが生成されると、表示部４０２は、元画像データと変換画像データのそれぞれに対応する画像を、元画像表示フレーム及び変換画像表示フレームのそれぞれに表示する（Ｓ１０５）。図９は、元画像表示フレームと変換画像表示フレームのそれぞれに、生成された画像が表示される例を示している。各表示フレームにおいて、各項目には、予め記憶装置４０３に画像データとして記憶されていた項目名、及びテキストデータとして入力されビットマップ形式の画像データに変換された項目内容が表示されている。マルチカラー表示を行うカイラルネマチック液晶表示パネルを使用する場合、上述したように、元画像表示フレームと変換画像表示フレームにおける表示色が異なるものとなりうる。
【００４７】
最後に、「Ｆｌａｓｈ書込み」のコマンドボタンが選択されることによって、カイラルネマチック液晶表示パネル用の画像データが、通信部４０６によって表示装置１１０に送信される（Ｓ１０６）。「Ｆｌａｓｈ書込み」コマンドボタンの横に配置されたボックスにおいて、メモリ番号を選択することによって、表示装置１１０の所望のメモリ領域４０７に画像データを記憶することができる。
【００４８】
制御装置１２０は、この他のコマンドとして、「Ｆｌａｓｈ消去」による特定メモリ領域の画像データ消去、「パネル消去」による表示画像の消去、「パネル表示」による特定メモリ領域の画像データの表示、及び、「Ｆｌａｓｈ書込み／パネル表示」による、特定メモリ領域への画像データの記憶と、その画像データのパネル表示、を表示装置１１０に送信することができる。表示装置１１０は、制御部４０９の制御において、各コマンドに応答した処理を実行することができる。
【００４９】
表示装置１１０は、表示装置１１０が現在表示している画像の画像データやメモリに記憶されている画像データを、制御装置１２０に送信することができることが好ましい。表示装置１１０の制御部４０９は、制御装置１２０からのコマンドに応答して、表示されている画像の画像データが記憶されているメモリ領域から、あるいは、制御装置１２０に特定されたメモリ領域から画像データを取得し、通信部４０７を介して、制御装置１２０に画像データを送信する。これによって、遠隔的に表示内容を確認することができ、表示装置の効率的な制御が可能となる。
【００５０】
尚、本形態は制御装置１２０によって一つの表示装置１１０を無線通信によって制御する例を説明しているが、例えば、複数の表示装置をネットワークを介して接続し、各表示装置にアドレスを付与することによって、中央の制御装置によって各表示装置を統括的に制御するシステムを構築することが可能である。これにより、様々な場所に設置された複数の表示装置を効率的に制御することが可能となる。各表示装置の表示画像を関連付けることによって、より効率的な制御が可能となる。
【００５１】
本形態の時刻表表示システムは、表示内容を状況に応じて変更することができる。たとえば、気象条件によって電車の運行に変更があった場合、行先や時刻を容易に変更することができる。変更される画像が予め決定されている場合、表示装置１１０のメモリ領域に予め記憶されている画像データを表示することによって、効率的に表示画像を変更することができる。尚、メモリ領域に記憶された画像データを使用することで、タイマー制御による定期的な表示画像の変更や時刻に応じた表示内容の変更が可能である。たとえば、広告を定期的に表示し、工事のための運転変更や、その他利用者の注意を喚起するような表示の変化をプリセットしておき、半自動的に表示させることができる。
【００５２】
本発明は、終始発時刻表の他、各駅もしくは他の交通機関のために設置される通常の時刻表に適用することが可能である。また、時刻表に代えて、運行の状況などの臨時情報を一時的に表示することができる。また、一つの交通機関だけでなく、交通機関網の全体の系統連絡や運転状態の重要な情報を表示させることもできる制御装置１２０は、臨時情報の入力のため、テキスト入力欄を備える入力画面を表示することができる。テキストデータとして入力された臨時情報は、既述のデータ変換処理に従って画像データに変換され、表示装置１１０に送信される。臨時情報のための表示画像のために、制御装置１２０は予めレイアウト画像データを記憶しておくことができる。表示装置１１０は、例えば、臨時情報専用のメモリ領域を備え、制御装置１２０からのコマンドに応答して、臨時情報用メモリの画像データを表示することができる。使用頻度の多い臨時情報は、表示装置１１０のメモリ領域４０７に予め記憶しておくことによって、効率的な臨時情報の表示が可能となる。本発明において、時刻表の表示データを変更する場合、駅ごとの各地点での管理・制御を行うことができる。また、交通機関網の全体もしくはブロック単位で管制を行う中央管制室からネットワークを介して統合的に制御・管理することができる。
【図面の簡単な説明】
【００５３】
【図１】本実施の形態に係る情報表示システムの基本構成を示す図である。
【図２】本実施の形態に係る表示装置の一例としてのカイラルネマチック液晶表示パネルの概略構成を示す断面図である。
【図３】本実施の形態に係る制御装置のハードウェア構成の一例を示すブロック図である。
【図４】本実施の形態に係る情報表示システムの論理構成を示すブロック図である。
【図５】本実施の形態に係る制御装置において表示される、データ入力画面の一例を示す図である。
【図６】本実施の形態に係る制御装置において表示される、データ入力画面の一例を示す図である。
【図７】本実施の形態に係る制御装置において表示される、データ入力画面の一例を示す図である。
【図８】本実施の形態に係る制御装置において表示される、データ入力画面の一例を示す図である。
【図９】本実施の形態に係る制御装置において表示される、データ入力画面の一例を示す図である。
【図１０】本実施の形態に係るデータ入力処理を示すフローチャートである。
【符号の説明】
【００５４】
１００  情報表示システム
１１０  表示装置
１２０  制御装置
２３２  カイラルネマチック液晶表示セル
２３３  カイラルネマチック液晶表示セル
２３４  第１基板
２３５  行電極
２３６  第２基板
２３７  列電極
２３８  周辺シール材
２３９  カイラルネマチック液晶層
２４０  着色層
【図１】
2005070348.tif 000003
【図２】
2005070348.tif 000004
【図３】
2005070348.tif 000005
【図４】
2005070348.tif 000006
【図５】
2005070348.tif 000007
【図６】
2005070348.tif 000008
【図７】
2005070348.tif 000009
【図８】
2005070348.tif 000010
【図９】
2005070348.tif 000011
【図１０】
2005070348.tif 000012